(57)【要約】【課題】遅延が少なくかつ最適なタイミングでページングデータを送信する。【解決手段】ＲＮＣ１においては、着側のＵＥ３を呼び出すためにページングを送信する場合、ＲＲＣプロトコルにおいて、メッセージ名が「Ｐａｇｉｎｇ  ＴＹＰＥ１」であるページングデータを多重せずに、下位レイヤのＲＬＣプロトコルへ渡す。ＲＬＣプロトコルにおいては、ページングデータを非確認型伝達モード（ＵＭ）で転送するため、複数のページングデータを１ＲＬＣ−ＰＤＵに収めてＵＭ−ＰＤＵを組み立て、ＵＭ−ＰＤＵを１ＴＢとし、これを多重してＭＡＣプロトコル／ＦＰへ渡す。ＦＰにおいては、送信タイミングを決定し、決定されたタイミングで多重されたＴＢをＮｏｄｅＢ２へ送信する。【選択図】      図１
2005005967.tif 000002
【特許請求の範囲】
【請求項１】
無線制御装置と、無線基地局装置と、携帯端末とを有してなるＩＭＴ２０００方式の移動通信システムにおけるページング多重方法において、
前記無線制御装置は、アプリケーション部の下位レイヤである無線レイヤ部で複数のページングデータの多重を行い、多重されたページングデータを前記無線基地局装置を介して前記携帯端末に送信することを特徴とするページング多重方法。
【請求項２】
前記アプリケーション部は、ＲＲＣプロトコルであり、
前記無線レイヤ部は、複数のページングデータの多重を行い、非確認型伝達モードでデータを転送するＲＬＣプロトコルと、前記ＲＬＣプロトコルにて多重されたページングデータを前記無線基地局装置を介して前記携帯端末に送信するフレームプロトコルとを少なくとも含む請求項１に記載のページング多重方法。
【請求項３】
前記ＲＬＣプロトコルでは、複数のページングデータをパケットデータユニットに組み立てたものを１トランスポートブロックとし、当該トランスポートブロックの多重を行う請求項２に記載のページング多重方法。
【請求項４】
無線制御装置と、無線基地局装置と、携帯端末とを有してなるＩＭＴ２０００方式の移動通信システムにおいて、
前記無線制御装置は、
複数のページングデータの多重を行わないアプリケーション部と、
前記アプリケーション部の下位レイヤであり、複数のページングデータの多重を行い、多重されたページングデータを前記無線基地局装置を介して前記携帯端末に送信する無線レイヤ部とを有することを特徴とする移動通信システム。
【請求項５】
前記アプリケーション部は、ＲＲＣプロトコルであり、
前記無線レイヤ部は、複数のページングデータの多重を行い、非確認型伝達モードでデータを転送するＲＬＣプロトコルと、前記ＲＬＣプロトコルにて多重されたページングデータを前記無線基地局装置を介して前記携帯端末に送信するフレームプロトコルとを少なくとも含む請求項４に記載の移動通信システム。
【請求項６】
前記ＲＬＣプロトコルでは、複数のページングデータをパケットデータユニットに組み立てたものを１トランスポートブロックとし、当該トランスポートブロックの多重を行う請求項５に記載の移動通信システム。
【発明の詳細な説明】
【０００１】
【発明の属する技術分野】
本発明は、ＩＭＴ２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）方式の移動通信システムにおけるページング多重方法、および移動通信システムに関する。
【０００２】
【従来の技術】
図２は、従来のＩＭＴ２０００方式の移動通信システムにおけるページング多重方法を説明する図である。
【０００３】
図２を参照すると、ＩＭＴ２０００方式の移動通信システムは、無線制御装置であるＲＮＣ（Ｒａｄｉｏ  Ｎｅｔｗｏｒｋ  Ｃｏｎｔｒｏｌｌｅｒ）１と、無線基地局装置であるＮｏｄｅＢ２と、携帯端末であるＵＥ（Ｕｓｅｒ  Ｅｑｕｉｐｍｅｎｔ）３とを有しており、ＲＮＣ１では、複数のページングデータ（制御信号）をＮｏｄｅＢ２を介してＵＥ３に同時に送信する場合、複数のページングデータを多重するページング多重を行う。
【０００４】
以下、従来のＩＭＴ２０００方式の移動通信システムにおけるページング多重方法について説明する。
【０００５】
ＲＮＣ１においては、着側のＵＥ３を呼び出すためにページングを送信する場合、ＲＲＣ（Ｒａｄｉｏ  Ｒｅｓｏｕｒｃｅ  Ｃｏｎｔｒｏｌ）プロトコルにおいて、メッセージ名が「Ｐａｇｉｎｇ  ＴＹＰＥ１」のＲＲＣメッセージであるページングデータを一定周期で多重し、多重されたページングデータを下位レイヤのＲＬＣ（Ｒａｄｉｏ  Ｌｉｎｋ  Ｃｏｎｔｒｏｌ）プロトコルへ渡す。ＲＬＣプロトコルには透過型モードでデータ転送を行うＲＬＣ−ＴＭ（Ｔｒａｎｓｐａｒｅｎｔ  Ｍｏｄｅ）が適用されている（非特許文献１参照）。そのため、ＲＬＣプロトコルにおいては、多重されたページングデータをそのままＭＡＣ（Ｍｅｄｉｕｍ  Ａｃｃｅｓｓ  Ｃｏｎｔｒｏｌ）プロトコル／ＦＰ（Ｆｒａｍｅ  Ｐｒｏｔｏｃｏｌ）へ渡す。ＦＰにおいては、送信タイミングを決定し、決定されたタイミングで多重されたページングデータをＮｏｄｅＢ２を介してＵＥ３に向けて送信する。
【０００６】
このように、本従来例においては、ＲＲＣプロトコルにおいてページング多重を行うことにより、Ｓ−ＣＣＰＣＨ（Ｓｙｎｃｈｒｏｎｉｚａｔｉｏｎ  Ｃｏｍｍｏｎ  Ｃｏｎｔｒｏｌ  Ｐｈｙｓｉｃａｌ  Ｃｈａｎｎｅｌ）の帯域の有効活用を行うことができるようになっている。
【０００７】
【非特許文献１】
３ＧＰＰ  ＴＳ  ２５．３２２  Ｖ５．４．０  （２００３−０３）（３ｒｄ  Ｇｅｎｅｒａｔｉｏｎ  Ｐａｒｔｎｅｒｓｈｉｐ  Ｐｒｏｊｅｃｔ  ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ  ；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ  （Ｒｅｌｅａｓｅ  ５））  Ｐ．１２
【０００８】
【発明が解決しようとする課題】
ところで、図２に示した従来例においては、ＲＮＣ１の構成は、大まかに、ＲＲＣプロトコルからなるアプリケーション部と、ＲＬＣプロトコル、ＭＡＣプロトコル、ＦＰプロトコル、およびＡＴＭ（Ａｓｙｎｃｈｒｏｎｏｕｓ  Ｔｒａｎｓｆｅｒ  Ｍｏｄｅ）プロトコルからなる無線レイヤ部とに分かれており、このうちアプリケーション部であるＲＲＣプロトコルでページング多重を行っている。
【０００９】
しかしながら、アプリケーション部は、通常無線レイヤ部と比較してリアルタイム性能が低くなっているため、アプリケーション部であるＲＲＣプロトコルでページング多重を行うと、多重処理に時間がかかり、最初に多重されたページングデータの送信が遅れてしまう可能性がある。また、ＲＲＣプロトコルで多重処理を行っている間に、最適な送信タイミングが過ぎてしまい、多重されたページングデータが次の周期で送信されてしまう可能性がある。
【００１０】
そこで、本発明の目的は、遅延が少なくかつ最適なタイミングでページングデータを送信することができる移動通信システムにおけるページング多重方法、および移動通信システムを提供することにある。
【００１１】
【課題を解決するための手段】
上記目的を達成するために本発明は、無線制御装置と、無線基地局装置と、携帯端末とを有してなるＩＭＴ２０００方式の移動通信システムにおけるページング多重方法において、前記無線制御装置は、アプリケーション部の下位レイヤである無線レイヤ部で複数のページングデータの多重を行い、多重されたページングデータを前記無線基地局装置を介して前記携帯端末に送信することを特徴とする。
【００１２】
この構成によれば、アプリケーション部よりもリアルタイム性能が高い無線レイヤ部において、ページングデータを転送する際にアプリケーション部から受信しているページングデータを多重しているため、アプリケーション部であるＲＲＣプロトコルでページング多重を行う場合と比較して、多重処理の高速化を図ることが可能となり、それにより、遅延が少なくかつ最適なタイミングでページングデータを送信することが可能となる。
【００１３】
なお、前記アプリケーション部は、ＲＲＣプロトコルであり、前記無線レイヤ部は、複数のページングデータの多重を行い、非確認型伝達モードでデータを転送するＲＬＣプロトコルと、前記ＲＬＣプロトコルにて多重されたページングデータを前記無線基地局装置を介して前記携帯端末に送信するフレームプロトコルとを少なくとも含むこととしても良い。また、前記ＲＬＣプロトコルでは、複数のページングデータをパケットデータユニットに組み立てたものを１トランスポートブロックとし、当該トランスポートブロックの多重を行うこととしても良い。
【００１４】
【発明の実施の形態】
以下に、本発明の実施の形態について図面を参照して説明する。
【００１５】
図１は、本発明の一実施形態のＩＭＴ２０００方式の移動通信システムにおけるページング多重方法を説明する図である。
【００１６】
図１を参照すると、本実施形態のＩＭＴ２０００方式の移動通信システムは、ＲＮＣ１およびＵＥ３において、ＲＬＣプロトコルとして、ＲＬＣ−ＴＭの代わりに、非確認型伝達モードでデータ転送を行うＲＬＣ−ＵＭ（Ｕｎａｃｋｎｏｗｌｅｄｇｅｄ  Ｍｏｄｅ、上記の非特許文献１のＰ．１３参照）を適用しており、ＲＮＣ１において、ＲＲＣプロトコルではページング多重を行わず、ＲＬＣプロトコルでページング多重を行う点が従来例とは異なる。
【００１７】
ここで、ＲＬＣ−ＴＭは、透過型データ転送を行い、プロトコルとしてのフレーム構造を持たない。従って、ＲＮＣにおいては、ＲＲＣプロトコルのＲＲＣメッセージであるページングデータを複数同時に送信する場合、ＲＲＣプロトコルで多重処理を行わなければ複数のページングデータの境界線がわからない。そのため、ＲＲＣプロトコルにおいて、複数のページングデータを多重して１ＴＢ（Ｔｒａｎｓｐｏｒｔ  Ｂｌｏｃｋ：トランスポートブロック）に収めて送信する。
【００１８】
これに対して、ＲＬＣ−ＵＭは、非確認型データ転送を行い、ＲＬＣ−ＰＤＵ（Ｐａｃｋｅｔ  Ｄａｔａ  Ｕｎｉｔ：パケットデータユニット）というフレーム構造を持っており、Ｃｏｎｃａｔｅｎａｔｉｏｎ機能を使用することにより、複数のページングデータを１ＲＬＣ−ＰＤＵに収め、これを取り出すことができる。
【００１９】
以下、本実施形態のＩＭＴ２０００方式の移動通信システムにおけるページング多重方法について説明する。
【００２０】
ＲＮＣ１においては、着側のＵＥ３を呼び出すためにページングを送信する場合、ＲＲＣプロトコルにおいて、メッセージ名が「Ｐａｇｉｎｇ  ＴＹＰＥ１」のＲＲＣメッセージであるページングデータを多重せずに、下位レイヤのＲＬＣプロトコルへ渡す。ＲＬＣプロトコルにおいては、ページングデータを非確認型伝達モード（ＵＭ）で転送するため、複数のページングデータを１ＲＬＣ−ＰＤＵに収めてＵＭ−ＰＤＵを組み立て、ＵＭ−ＰＤＵを１ＴＢとし、これを多重してＭＡＣプロトコル／ＦＰへ渡す。ＦＰにおいては、送信タイミングを決定し、決定されたタイミングで多重されたＴＢをＮｏｄｅＢ２へ送信する。
【００２１】
ＮｏｄｅＢ２においては、ＲＮＣ１から受信した多重されたＴＢが、同一タイミングでＵＥ３に向けて送信される。
【００２２】
ＵＥ３においては、ＮｏｄｅＢ２から受信した多重されたＴＢが、ＴＢ単位でＦＰ／ＭＡＣプロトコルからＲＬＣ−ＵＭへ渡される。このとき、ＵＥ３においては、ＰＣＨ（Ｐａｇｉｎｇ  Ｃｈａｎｎｅｌ）を間欠受信しているため、ＲＬＣプロトコルにおいて、ＴＢをＲＬＣ−ＰＤＵに分解する際にシーケンス番号チェックを行わず、すべて上位レイヤのＲＲＣプロトコルへ渡す。ＲＲＣプロトコルにおいては、多重された複数のページングデータを復号し、自己宛のページングデータを受信すると、着信動作を開始する。
【００２３】
上述したように本実施形態においては、アプリケーション部であるＲＲＣプロトコルではページング多重を行わず、無線レイヤ部であるＲＬＣレベルでページング多重を行っている。無線レイヤ部は、通常、アプリケーション部と比較してリアルタイム性能が高く、ＮｏｄｅＢ２へページングデータを送信する際にその時までにアプリケーション部から受信したページングデータを多重して送信することで、最適な送信タイミングに基づく多重処理を行うことが可能となる。
【００２４】
【発明の効果】
以上説明したように本発明においては、アプリケーション部よりもリアルタイム性能が高い無線レイヤ部において、ページングデータを転送する際にアプリケーション部から受信しているページングデータを多重している。
【００２５】
従って、アプリケーション部であるＲＲＣプロトコルでページング多重を行う場合と比較して、多重処理の高速化を図ることが可能となるため、Ｓ−ＣＣＰＣＨの帯域を有効活用することができるだけでなく、遅延が少なくかつ最適なタイミングでページングデータを送信することができる。
【図面の簡単な説明】
【図１】本発明の一実施形態のＩＭＴ２０００方式の移動通信システムにおけるページング多重方法を説明する図である。
【図２】従来のＩＭＴ２０００方式の移動通信システムにおけるページング多重方法を説明する図である。
【符号の説明】
１    ＲＮＣ（無線制御装置）
２    ＮｏｄｅＢ（無線基地局装置）
３    ＵＥ（携帯端末）
【図１】
2005005967.tif 000003
【図２】
2005005967.tif 000004